(57)【要約】【課題】ボルトにおいて、締め付け作業が簡単かつ迅速に行え、しかも、強固かつ確実なゆるみ止め効果が得られるゆるみ止め方法を提供する。【解決手段】一本のボルトの軸を途中から軸と直角に二つに切断した形でボルトの頭を有する第一ボルト１１とねじ先を有する第二ボルト１２とからなり、第二ボルト１２には切断面１２２に第二ボルト１２の軸の直径より小径の偏心円柱部１２３が中心軸に対して直角方向に偏心されて軸方向外方に突設されていると共に、偏心円柱部１２３の外周側面には側面凸部１２４が形成されている一方、第一ボルト１１には切断面１１２に、偏心円柱部１２３と嵌合する、偏心円筒部１１３が中心軸に対して直角方向に偏心して開けられていて内部に中心軸に対して平行方向に軸方向の溝１１４と径方向に径方向の溝１１５とが形成されており、全体をロックボルト１とする。【選択図】図１
2020183772.tif 000002
【特許請求の範囲】
【請求項１】
一本のボルトの軸を途中から軸と直角に二つに切断した形でボルトの頭を有する第一ボルトとねじ先を有する第二ボルトとからなるロックボルトであって、
第一ボルトと第二ボルトは、一つのボルト穴に螺合する雄ねじをボルトの軸の外周にそれぞれ有しており、
第二ボルトには第一ボルトとの切断面に第二ボルトの直径より小径の偏心円柱部が第二ボルトの中心軸に対して直角方向に偏心されて軸方向外方に突設されていると共に、偏心円柱部の外周側面の一部に径方向外方に突設された側面凸部が形成されている一方、
第一ボルトには、第一ボルトの切断面に、第二ボルトに設けられた偏心円柱部と嵌合する、第一ボルトの軸の直径より小径の円筒状の穴である偏心円筒部が第一ボルトの中心軸に対して直角方向に偏心して開けられていて内周側面に中心軸と平行な方向に軸方向の溝と中心軸と直角な方向に径方向の溝とが形成されており、
第二ボルトに設けられた偏心円柱部を第一ボルトに設けられた偏心円筒部に偏心円柱部の側面凸部と偏心円筒部の軸方向の溝とが一致するようにして、相対向する切断面が接するまで嵌め込んだ後、偏心円柱部の側面凸部を偏心円筒部の径方向の溝に添って径方向の溝の端まで第二ボルトを回転させて移動すると、両者の外周ねじ部の中心軸及びピッチが一致するように構成されていて、
第二ボルトには回転操作用の凹みが設けられている、
ロックボルト。
【請求項２】
一本のボルトの軸を途中から軸と直角に二つに切断した形でボルトの頭を有する第一ボルトとねじ先を有する第二ボルトとからなるロックボルトであって、
第一ボルトと第二ボルトは、一つのボルト穴に螺合する雄ねじをボルトの軸の外周にそれぞれ有しており、
第一ボルトには第二ボルトとの切断面に第一ボルトの軸の直径より小径の偏心円柱部が第一ボルトの中心軸に対して直角方向に偏心されて軸方向外方に突設されていると共に、偏心円柱部の外周側面の一部に径方向外方に突設された側面凸部が形成されている一方、
第二ボルトには、第二ボルトの切断面に、第一ボルトに設けられた偏心円柱部と嵌合する、第二ボルトの軸の直径より小径の円筒状の穴である偏心円筒部が第二ボルトの中心軸に対して直角方向に偏心して開けられていて内周側面に中心軸と平行な方向に軸方向の溝と中心軸と直角な方向に径方向の溝とが形成されており、
第一ボルトに設けられた偏心円柱部を第二ボルトに設けられた偏心円筒部に偏心円柱部の側面凸部と偏心円筒部の軸方向の溝とが一致するようにして、相対向する切断面が接するまで嵌め込んだ後、偏心円柱部の側面凸部を偏心円筒部の径方向の溝に添って径方向の溝の端まで第一ボルトを回転させて移動すると、両者の外周ねじ部の中心軸及びピッチが一致するように構成されていて、
第二ボルトには回転操作用の凹みが設けられている、
ロックボルト。
【請求項３】
偏心円筒部の内周側面の一部に径方向内方に突設された側面凸部が軸方向の溝と径方向の溝との代わり形成されている一方、偏心円柱部の外周側面に軸方向の溝と径方向の溝とが側面凸部の代わりに形成されている、
請求項１又は請求項２に記載されているロックボルト。
【請求項４】
第一ボルトにおいて第一ボルトの中心軸と平行な方向に第一ボルトを貫通する穴を開けた
請求項１又は請求項２又は請求項３に記載されているロックボルト。
【請求項５】
第二ボルトに偏心円柱部がある場合は偏心円柱部の上部に外部から回転操作できるような凹みを設け、第二ボルトに偏心円筒部がある場合は偏心円筒部の底部に外部から回転操作できるような凹みを設けた、
請求項４に記載されているロックボルト。
【請求項６】
第二ボルトにおいて切断面と反対側のねじ先の面に、外部から回転操作ができるような凹みを設けた、
請求項１又は請求項２又は請求項３に記載されているロックボルト。
【請求項７】
第一ボルト又は第二ボルトの切断面に偏心円柱部とは別に小さな凸部を設け対向する切断面に偏心円筒部とは別に偏心円筒部と同心円の半円状の溝を設けて、第一ボルトと第二ボルトの相対する切断面が接した状態まで嵌合させた後、第二ボルトのみ回転させ両者の外周ねじ部の中心軸及びピッチが一致した所で小さな凸部と半円状の溝の端が噛み合うようにし、それ以上第二ボルトが回転しないようにした回転ストッパー付き、
請求項１又は請求項２又は請求項３又は請求項５又は請求項６に記載されているロックボルト。
【請求項８】
径方向の溝を複数設けた
請求項１又は請求項２又は請求項３又は請求項５又は請求項６又は請求項７に記載されているロックボルト。
【請求項９】
軸方向の溝を複数設けた
請求項１又は請求項２又は請求項３又は請求項５又は請求項６又は請求項７又は請求項８に記載されているロックボルト。
【請求項１０】
側面凸部を複数設けた
請求項８又は請求項９に記載されているロックボルト。
【請求項１１】
径方向の溝が径方向から少し傾いている
請求項１又は請求項２又は請求項３又は請求項５又は請求項６又は請求項７又は請求項８又は請求項９又は請求項１０に記載されているロックボルト。
【請求項１２】
軸方向の溝が中心軸方向から少し傾いている
請求項１又は請求項２又は請求項３又は請求項５又は請求項６又は請求項７又は請求項８又は請求項９又は請求項１０又は請求項１１に記載されているロックボルト。
【請求項１３】
請求項５に記載されている第二ボルトに設けられた外部から回転操作できるような凹みと一体化した棒を設け、第二ボルトに設けられた外部から回転操作できるような凹みと一体化した棒は、切断面に設けられた偏心円柱部を偏心円筒部に切断面が接するまで嵌合させた時、第一ボルトを貫通する穴を貫通して第一ボルトの外部に棒の先端が出て外部から第二ボルトの回転操作ができるようにした
請求項５又は請求項７又は請求項８又は請求項９又は請求項１０又は請求項１１又は請求項１２に記載されているロックボルト。
【請求項１４】
第一ボルトの外周ねじと第二ボルトの外周ねじとがテーパねじからなる
請求項１又は請求項２又は請求項３又は請求項５又は請求項６又は請求項７又は請求項８又は請求項９又は請求項１０又は請求項１１又は請求項１２又は請求項１３に記載されているロックボルト。
【請求項１５】
偏心円柱部を円錐台（円錐の上部を底面に平行な平面で切断して尖った上の部分を取り除いた形）とし、偏心円筒部を円錐台形の穴とした
請求項１又は請求項２又は請求項３又は請求項５又は請求項６又は請求項７又は請求項８又は請求項９又は請求項１０又は請求項１１又は請求項１２又は請求項１３又は請求項１４に記載されているロックボルト。
【発明の詳細な説明】
【技術分野】
【０００１】
本発明は、緩まないボルトに関する。詳しくは、押さえボルトに用いられる緩み止めのついたボルトに関する。
【背景技術】
【０００２】
押さえボルトにおいて振動や衝撃が加わると、瞬間的にボルトと締め付け面との間に隙間ができて、ボルトに荷重が働かなくなり、それに伴ってボルトに回転が生じて緩みが発生することが知られている。このようなボルトの緩みを防止するために、ボルトを２本使用し、各ボルトの頭同士をワイヤで連結して一方のボルトが緩む方向にワイヤーを引くと他方のボルトが締まる方向に引くようにワイヤーを掛けるロックワイヤー方式が従来から知られている。
【０００３】
しかしながら、上記従来のロックワイヤー方式では、ボルトが２本とボルト穴２個が必要な上、２本のボルトの頭にワイヤーを掛ける作業が必要になるため作業性が悪い問題があった。
【発明の概要】
【発明が解決しようとする課題】
【０００４】
本発明は、従来のワイヤーによるボルトのロック方式の課題を解決するものであり、１本のような状態のボルトと１個のボルト穴で、ボルトをロックする作業が簡単かつ迅速に行え、しかも、確実かつ強固な緩み止め効果が得られるボルトのロック方式を提供する。
【課題を解決するための手段】
【０００５】
上記課題を解決するために、本発明のロックボルトは、一本のボルトの軸を途中から軸と直角に二つに切断した形でボルトの頭を有する第一ボルトとねじ先を有する第二ボルトとからなるロックボルトであって、第一ボルトと第二ボルトは、一つのボルト穴に螺合する雄ねじを外周にそれぞれ有しており、
第二ボルトには第一ボルトとの切断面側に第二ボルトの直径より小径の偏心円柱部が第二ボルトの中心軸に対して直角方向に偏心されて軸方向外方に突設されていると共に、偏心円柱部の外周側面の一部に径方向外方に突設された側面凸部が形成されている一方、
第一ボルトには、第一ボルトの切断面に、第二ボルトの偏心円柱部と嵌合する、第二ボルトの直径より小径の円筒状の穴である偏心円筒部が第一ボルトの中心軸に対して直角方向に偏心して開けられていて内部に軸方向の溝と径方向の溝とが形成されており、
第二ボルトの偏心円柱部を第一ボルトの偏心円筒部に偏心円柱部の側面凸部と偏心円筒部の軸方向の溝が一致するようにして、相対向する切断面が接するまで嵌め込んだ後、偏心円柱部の側面凸部を偏心円筒部の径方向の溝に添って溝の端まで第二ボルトを回転して移動させると、両者の外周ねじ部の中心軸及びピッチが一致するように構成し、
さらに第二ボルトには回転操作用の凹みが設けられている。
【０００６】
このロックボルトの使用方法について説明すると、常時は、第二ボルトの偏心円柱部が第一ボルトの偏心円筒部に、相対向する切断面が接した状態で嵌合され、かつ両者の外周ねじ部の中心軸及びピッチが一致する状態にセットされて一本のボルトのような状態になっており、緩まない押さえボルトとして使用する時は、そのセット状態のまま第一ボルトと第二ボルトをボルト穴にボルト全体に所定のトルクが作用するまで締め付け方向に回転させた後、この回転方向と同一方向に、第二ボルトに設けられた回転操作用の凹みに外部から回転工具を嵌め込み第二ボルトのみ所定角度回転させる。これにより、径方向のずれによるロック作用により緩み止めされるのである。
【０００７】
このロックボルトは、第一ボルトと第二ボルトを組み合わせた１本のボルトのような状態で締め付け方向に回転させた後、この回転方向と同一方向に、第二ボルトのみ所定角度回転させるという比較的簡単で迅速に行える動作によって、確実かつ強固な緩み止め効果が得られるという優れた特徴を有する。
【発明の効果】
【０００８】
本発明により、第一ボルトと第二ボルトを組み合わせた１本のような状態のボルトでボルトの締め付け作業が比較的簡単かつ迅速に行え、しかも、確実かつ強固な緩み止め効果が得られるロックボルトを提供することができる。
【図面の簡単な説明】
【０００９】
【図１】第一ボルトに貫通する穴があり、第二ボルトの偏心円柱部上部に回転操作用の凹みを持つロックボルトの断面図である。
【図２】図１のロックボルトの正面図である。
【図３】図１のロックボルトの上面図である。
【図４】図１のロックボルトの第一ボルトと第二ボルトを組み合わせた状態の断面図である。
【図５】図１のロックボルトの第一ボルトと第二ボルトを組み合わせた状態の正面図である。
【図６】図１のロックボルトにおいて第一ボルトと第二ボルトを組み合わせた状態で締め付け方向に回転させてボルト穴に嵌め込む様子を示す断面図である。
【図７】図１のロックボルトにおいて、図６の状態からロックボルト全体をボルト穴に完全に嵌め込んだ後第二ボルトのみを第一ボルトに対し所定角度回転させる様子を示す断面図である。
【図８】第二ボルトのねじ先側に回転操作できるような凹みを設けたロックボルトの断面図である。
【図９】図８のロックボルトにおいて、第一ボルトと第二ボルトを組み合わせた状態で締め付け方向に回転させてロックボルト全体をボルト穴に完全に嵌め込んだ後、第二ボルトのみを第一ボルトに対し所定角度回転させる様子を示す断面図である。
【図１０】図１のロックボルトにおいて、第二ボルトの回転操作用の凹みと一体化した棒が設けられたロックボルトの断面図である。
【図１１】図１０のロックボルトの正面図である。
【図１２】図１のロックボルトにおいて、第一ボルトの外周ねじと第二ボルトの外周ねじとがテーパねじからなるロックボルトの断面図である。
【図１３】図１のロックボルトにおいて、切断面に回転ストッパーを付けたロックボルトの断面図である。
【図１４】第一ボルトに偏心円筒部の代わりに偏心円柱部が、第二ボルトに偏心円柱部の代わりに偏心円筒部が設けられ、第二ボルトの偏心円筒部の底に回転操作用の凹みが設けられたロックボルトの断面図である。
【図１５】図１４のロックボルトの正面図である。
【図１６】図１４のロックボルトの上面図である。
【図１７】図１のロックボルトにおいて、第一ボルトの偏心円筒部に軸方向の溝と径方向の溝との代わりに側面凸部が設けられ、第二ボルトの偏心円柱部に側面凸部の代わりに軸方向の溝と径方向の溝とが設けられたロックボルトの断面図である。
【図１８】図１７のロックボルトの正面図である。
【図１９】図１７のロックボルトの上面図である。
【図２０】図１４のロックボルトにおいて、第一ボルトの偏心円柱部に側面凸部の代わりに軸方向の溝と径方向の溝とが設けられ、第二ボルトの偏心円筒部に軸方向の溝と径方向の溝との代わりに側面凸部が設けられたロックボルトの断面図である。
【図２１】図２０のロックボルトの正面図である。
【図２２】図２０のロックボルトの上面図である。
【図２３】図１のロックボルトにおいて、第一ボルトの偏心円筒部に軸方向の溝が２本設けられ径方向の溝も２本設けられ、第二ボルトの偏心円柱部に側面凸部が２個設けられたロックボルトの断面図である。
【図２４】図２３のロックボルトの正面図である。
【図２５】図２３のロックボルトの上面図である。
【図２６】図１のロックボルトにおいて、第一ボルトの偏心円筒部に径方向の溝が２本設けられ、第二ボルトの偏心円柱部に側面凸部が２個設けられたロックボルトの断面図である。
【図２７】図２６のロックボルトの正面図である。
【図２８】図１のロックボルトにおいて、第一ボルトの偏心円筒部に径方向に対して斜めに傾いた溝が設けられ、第二ボルトの偏心円柱部に斜めに傾いた溝に納まる側面凸部が設けられたロックボルトの断面図である。
【図２９】図２８のロックボルトの正面図である。
【図３０】図２８のロックボルトの右側面図である。
【図３１】図１のロックボルトにおいて、第一ボルトの偏心円筒部に軸方向に対して斜めに傾いた溝が設けられたロックボルトの断面図である。
【図３２】図１のロックボルトにおいて、第一ボルトの偏心円筒部の穴の形を円柱ではなくて円錐台（円錐の上部を底面に平行な平面で切断して尖った上の部分を取り除いた形）にし、第二ボルトの偏心円柱部を円柱ではなくて円錐台にしたロックボルトの断面図である。
【図３３】図３２のロックボルトの正面図である。
【図３４】図３２のロックボルトの上面図である。
【発明を実施するための形態】
【００１０】
図を用いてロックボルトの実施形態を例示説明する。
以下の実施形態はあくまで本発明を掲示説明するものであって、本発明は、以下の具体的な実施形態に限定されるものではない。
【実施例１】
【００１１】
図１に例示するようにロックボルト１は、第一ボルト１１と第二ボルト１２からなる。
【００１２】
１．第一ボルト１１
第一ボルト１１は、外周にボルト穴１３に螺合するねじである外周ねじ部１１１を有する。本実施形態では、第一ボルト１１は、側面視において、ボルトの頭１１０が付いた外周に雄ねじの外周ねじ部１１１が付いたボルトである。
【００１３】
そして、第一ボルト１１には、第二ボルト１２との切断面１１２に偏心円筒部１１３が形成されている。
【００１４】
偏心円筒部１１３は、第一ボルト１１の直径より小さい。また、偏心円筒部１１３は、第一ボルト１１の中心軸に対して直角方向に偏心されて形成されていて、内部に第一ボルト１１の軸方向と平行に軸方向の溝１１４と第一ボルト１１の径方向と平行に径方向の溝１１５とが形成されており、
【００１５】
さらに、第一ボルト１１には、第一ボルト１１の中心軸と平行な方向に第一ボルト１１を貫通して偏心円筒部１１３に達する回転操作用の穴１１６が開けられている。
【００１６】
２．第二ボルト１２
第二ボルト１２も、外周にボルト穴１３に螺合するねじである外周ねじ部１２１を有する。外周ねじ部１２１は、第一ボルト１１の外周ねじ部１１１と連続するため外周ねじ部１１１と同一方向および同一ピッチである。
本実施形態では、第二ボルト１２は、側面視において、外周に外周ねじ部１２１を有する円柱状形状であり、側面視において、ボルトの頭の無いボルトの外形形状である。
【００１７】
そして、第二ボルト１２には、第一ボルト１１との切断面１２２に偏心円柱部１２３が突設されている。この偏心円柱部１２３は、ボルト１２の直径よりも小径である。また、偏心円柱部１２３は、第二ボルト１２の中心軸に対し直角方向に偏心されて突設されている。第二ボルト１２の中心軸に対する偏心円柱部１２３の偏心寸法は、第一ボルト１１における、第一ボルト１１の中心軸に対する偏心円筒部１１３の偏心寸法と等しい。
【００１８】
また、偏心円柱部１２３の外周側面には、側面凸部１２４が形成されていて、側面凸部１２４は偏心円筒部１１３に形成されている軸方向の溝１１４に軸方向に納まる大きさになっており、さらに側面凸部１２４は偏心円筒部１１３に形成されている径方向の溝１１５に径方向に納まる大きさになっているとともに、側面凸部１２４と切断面１２２の距離と径方向の溝１１５と切断面１１２の距離とが等しくなるように形成されている。
【００１９】
図４に例示するように、第二ボルト１２の偏心円柱部１２３を第一ボルト１１の偏心円筒部１１３に側面凸部１２４を軸方向の溝１１４に一致するようにして、第一ボルト１１と第二ボルト１２の相対向する切断面１１２と切断面１２２が接するまで嵌め込むと、偏心円柱部１２３の側面凸部１２４と偏心円筒部１１３の径方向の溝１１５が一致するので偏心円柱部１２３の側面凸部１２４を偏心円筒部１１３の径方向の溝１１５に添って溝の端まで第二ボルト１２を外周ネジを緩める方向に回転させることにより移動させると、図４および図５に例示するように、第一ボルト１１と第二ボルト１２とが両者の外周ねじ部１１１と外周ねじ部１２１の中心軸及びピッチが一致するように構成されている。
【００２０】
そして、図４に例示するように、偏心円柱部１２３の上面には、回転操作用の凹み１２６が形成されていて第一ボルト１１を貫通する回転操作用の穴１１６の真下にくるように形成されている。
【００２１】
３．ロックボルト１の使用方法
３．１常時（締結前の状態）
ロックボルト１による締結に先だって、第一ボルト１１と第二ボルト１２を組み合わせてセット状態とする。具体的には、第二ボルト１２の偏心円柱部１２３を第一ボルト１１の偏心円筒部１１３に、側面凸部１２４を軸方向の溝１１４に一致するようにして、第一ボルト１１と第二ボルト１２の相対向する切断面１１２と切断面１２２が接するまで嵌め込み、偏心円柱部１２３の側面凸部１２４を偏心円筒部１１３の径方向の溝１１５に添って溝の端まで第二ボルト１２を回転して移動させた状態にする。
【００２２】
この状態では、図５に示すように第一ボルト１１と第二ボルト１２とが平面視で一致すると同時に両者の外周ねじ部１１１と外周ねじ部１２１の中心軸及びピッチが一致する。そのため、第一ボルト１１と第二ボルト１２をあたかも一つのボルトのようにボルト穴１３に螺合させることができる。
【００２３】
３．２締結時
そして、ロックボルト１による締結時には、まず、セット状態の第一ボルト１１と第二ボルト１２を、ボルト穴１３に螺合し、所定のトルクが作用するまで締め付け方向に回転させる。
このとき、図６に示すように、ボルト穴１３に対して第一ボルト１１のボルトの頭１１０に力を加えてボルト穴１３に所定のトルクが作用するまで締め付け方向に回転させることができる。
【００２４】
ここで、第一ボルト１１と第二ボルト１２は偏心円柱部１２３の側面凸部１２４が偏心円筒部１１３の径方向の溝１１５の溝の端まで第二ボルト１２を外周ネジに対して緩める方向に回転させた状態のため、図６に示すように第一ボルト１１のボルトの頭１１０に力を加えて締め付け方向に回転させると、第二ボルト１２もこれに追随する。
【００２５】
その後、図７に示すように、第一ボルト１１の回転操作用の穴１１６に回転操作工具１５を差し入れて、第二ボルト１２の回転操作用の凹み１２６に嵌め込み、第二ボルト１２のみを、第一ボルト１１に対し、締め付け方向と同一方向に所定角度回転させる。所定角度としては第二ボルト１２の中心軸からの偏心の量及び側面凸部と径方向の溝との軸方向の隙間の量によるが５〜１８０度の範囲てある。
【００２６】
こうすることによって、径方向のずれによるロック作用により緩み止めされるのである。
【００２７】
このように、本発明のロックボルトは、第一ボルト１１と第二ボルト１２で部材１４を締め付けた後、第二ボルト１２のみを更に所定角度回転させることによって、簡単で迅速かつ確実で強固な緩み止め効果が得られるという優れた特徴を有するのである。
【実施例２】
【００２８】
図９に示すようにボルト穴２３が部材２４を付き抜けていて、ボルト穴２３の下方から回転操作工具２５を使用できる時は、図８に示すように第二ボルト２２において切断面１２２と反対側のねじ先の面に、外部から回転操作ができるような回転操作用の凹み２２５を設ける。
実施例１と同様にロックボルト２をボルト穴２３に締結した後、図９に示すように、ボルト穴２３のロックボルト２が締結されている面と反対側の貫通した面の穴から回転操作工具２５を差し入れて、第二ボルト２２の回転操作用の凹み２２５に嵌め込み、第二ボルト２２のみを、第一ボルト２１に対し、第一ボルト２１の締め付け方向と同一方向に所定角度回転させる。
こうすることによって、径方向のずれによるロック作用により簡単で迅速かつ確実で強固な緩み止め効果が得られる。
【実施例３】
【００２９】
図１０又は図１１に示すように第二ボルト３２の切断面１２２に設けられた偏心円柱部１２４の回転操作用の凹みと一体化した棒である回転操作用偏心円柱部３２６を設けると、回転操作用偏心円柱部３２６は切断面１１２と切断面１２２が接した状態になるまで偏心円柱部１２３を偏心円筒部１１３に嵌め込んだ時、第一ボルト１１を貫通する回転操作用の穴１１６を貫通して第一ボルト１１の外部に出て外部から第二ボルト３２の回転操作ができるようになり、２種類の口径のスパナまたはボックスレンチだけでロックボルト３の締め付け操作とロック操作ができ、簡単で迅速かつ確実で強固な緩み止め効果が得られる。
【実施例４】
【００３０】
図１２に示すように第一ボルト４１の外周ねじ部４１１と第二ボルト４２の外周ねじ部４２１とがテーパねじになっていても簡単で迅速かつ確実で強固な緩み止め効果が得られる。
【実施例５】
【００３１】
図１３に示すように、第一ボルト１１と第二ボルト１２の相対向する切断面１１１と切断面１２１に回転ストッパー用の溝１１７と，回転ストッパー用の凸部１２７を設けることにより、図６に示すように第一ボルト１１のボルトの頭１１０に力を加えて締め付け方向に回転させた時、第一ボルト１１の径方向の溝の端が無くても回転ストッパー用の溝１１７の端に回転ストッパー用の凸部１２７が引っ掛かることで、第二ボルト１２が第一ボルト１１に追随するようにできる。
【実施例６】
【００３２】
図１４、図１５、図１６に示すように第一ボルト５１の切断面１１２の方に偏心円筒部１１３の代わりに偏心円柱部５１３を設け、第二ボルト５２の切断面１２２の方に偏心円柱部１２３の代わりに偏心円筒部５２３の穴を開け偏心円筒部５２３の底に回転操作用の凹み５２６を設けても動作や機能は実施例１に示されたロックボルト１と同様であり、簡単で迅速かつ確実で強固な緩み止め効果が得られる。
【実施例７】
【００３３】
図１７、図１８、図１９に示すように第一ボルト６１の偏心円筒部６１３の方に軸方向の溝１１４と径方向の溝１１５との代わりに側面凸部６１４を設け、第二ボルト６２の偏心円柱部６２３の方に側面凸部１２４の代わりに軸方向の溝６２４と径方向の溝６２５とを設けても動作や機能は実施例１に示されたロックボルト１と同様であり、簡単で迅速かつ確実で強固な緩み止め効果が得られる。
【実施例８】
【００３４】
図２０、図２１、図２２に示すように第二ボルト７２の偏心円筒部７２３の方に軸方向の溝５２４と径方向の溝５２５との代わりに側面凸部７２４を設け、第一ボルト７１の偏心円柱部７１３の方に側面凸部５１４の代わりに軸方向の溝７１４と径方向の溝７１５とを設けても動作や機能は実施例６に示されたロックボルト５と同様であり、簡単で迅速かつ確実で強固な緩み止め効果が得られる。
【実施例９】
【００３５】
図２３、図２４、図２５に示すように第一ボルト８１の偏心円筒部８１３に軸方向の溝８１４ａと軸方向の溝８１４ｂと径方向の溝８１５ａと径方向の溝８１５ｂとを設け、第二ボルト８２の偏心円柱部８２３に側面凸部８２４ａと側面凸部８２４ｂとを設けても動作や機能は実施例１に示されたロックボルト１と同様であり、簡単で迅速かつ確実で強固な緩み止め効果が得られる。
【実施例１０】
【００３６】
図２６、図２７に示すように第一ボルト９１の偏心円筒部９１３に軸方向の溝１１４と径方向の溝１１５と径方向の溝９１５とを設け、第二ボルト９２の偏心円柱部９２３に側面凸部１２４と側面凸部９２４とを設けても動作や機能は実施例１に示されたロックボルト１と同様であり、簡単で迅速かつ確実で強固な緩み止め効果が得られる。
【実施例１１】
【００３７】
図２８、図２９、図３０に示すように第一ボルトａ１の偏心円筒部ａ１３に軸方向の溝１１４と径方向に対して斜めに傾いた径方向の溝ａ１５とを設け、第二ボルトａ２の偏心円柱部ａ２３に斜めに傾いた径方向の溝ａ１５に納まる側面凸部ａ２４とを設けても動作や機能は実施例１に示されたロックボルト１と同様であり、簡単で迅速かつ確実で強固な緩み止め効果が得られる。
【実施例１２】
【００３８】
図３１に示すように第一ボルトｂ１の偏心円筒部ｂ１３の軸方向の溝ｂ１４が軸方向に対して斜めに傾いていても動作や機能は実施例１に示されたロックボルト１と同様であり、簡単で迅速かつ確実で強固な緩み止め効果が得られる。
【実施例１３】
【００３９】
図３２、図３３、図３４に示すように第一ボルトｃ１の偏心円筒部ｃ１３の穴の形を円柱ではなくて円錐台（円錐の上部を底面に平行な平面で切断して尖った上の部分を取り除いた形）にし、第二ボルトｃ２の偏心円柱部ｃ２３を円柱ではなくて円錐台にしても動作や機能は実施例１に示されたロックボルト１と同様であり、簡単で迅速かつ確実で強固な緩み止め効果が得られる。
【符号の説明】
【００４０】
１  ロックボルト
１１  第一ボルト
１１０  ボルトの頭
１１１  外周ねじ部
１１２  切断面
１１３  偏心円筒部
１１４  軸方向の溝
１１５  径方向の溝
１１６  回転操作用の穴
１１７  回転ストッパー用の溝
１２  第二ボルト
１２１  外周ねじ部
１２２  切断面
１２３  偏心円柱部
１２４  側面凸部
１２６  回転操作用の凹み
１２７  回転ストッパー用の凸部
１３  ボルト穴
１４  部材
１５  回転操作工具
２  ロックボルト
２１  第一ボルト
２１０  ボルトの頭
２２  第二ボルト
２２５  回転操作用の凹み
２３  ボルト穴
２４  部材
２５  回転操作工具
３  ロックボルト
３２  第二ボルト
３２６  回転操作用偏心円柱部
３２７  回転操作用ボルトの頭
４  ロックボルト
４１  第一ボルト
４１０  ボルトの頭
４１１  外周ねじ部
４１２  切断面
４２  第二ボルト
４２１  外周ねじ部
４２２  切断面
５  ロックボルト
５１  第一ボルト
５１３  偏心円柱部
５１４  側面凸部
５１６  回転操作用の穴
５２  第二ボルト
５２３  偏心円筒部
５２４  軸方向の溝
５２５  径方向の溝
５２６  回転操作用の凹み
６  ロックボルト
６１  第一ボルト
６１３  偏心円筒部
６１４  側面凸部
６２  第二ボルト
６２３  偏心円柱部
６２４  軸方向の溝
６２５  径方向の溝
７  ロックボルト
７１  第一ボルト
７１３  偏心円柱部
７１４  軸方向の溝
７１５  径方向の溝
７２  第二ボルト
７２３  偏心円筒部
７２４  側面凸部
８  ロックボルト
８１  第一ボルト
８１３  偏心円筒部
８１４ａ  軸方向の溝
８１４ｂ  軸方向の溝
８１５ａ  径方向の溝
８１５ｂ  径方向の溝
８２  第二ボルト
８２３  偏心円柱部
８２４ａ  側面凸部
８２４ｂ  側面凸部
９  ロックボルト
９１  第一ボルト
９１３  偏心円筒部
９１５  径方向の溝
９２  第二ボルト
９２３  偏心円柱部
９２４  側面凸部
ａ  ロックボルト
ａ１  第一ボルト
ａ１３  偏心円筒部
ａ１５  径方向の溝
ａ２  第二ボルト
ａ２３  偏心円柱部
ａ２４  側面凸部
ｂ  ロックボルト
ｂ１  第一ボルト
ｂ１３  偏心円筒部
ｂ１４  軸方向の溝
ｃ  ロックボルト
ｃ１  第一ボルト
ｃ１３  偏心円筒部
ｃ２  第二ボルト
ｃ２３  偏心円柱部
【図１】
2020183772.tif 000003
【図２】
2020183772.tif 000004
【図３】
2020183772.tif 000005
【図４】
2020183772.tif 000006
【図５】
2020183772.tif 000007
【図６】
2020183772.tif 000008
【図７】
2020183772.tif 000009
【図８】
2020183772.tif 000010
【図９】
2020183772.tif 000011
【図１０】
2020183772.tif 000012
【図１１】
2020183772.tif 000013
【図１２】
2020183772.tif 000014
【図１３】
2020183772.tif 000015
【図１４】
2020183772.tif 000016
【図１５】
2020183772.tif 000017
【図１６】
2020183772.tif 000018
【図１７】
2020183772.tif 000019
【図１８】
2020183772.tif 000020
【図１９】
2020183772.tif 000021
【図２０】
2020183772.tif 000022
【図２１】
2020183772.tif 000023
【図２２】
2020183772.tif 000024
【図２３】
2020183772.tif 000025
【図２４】
2020183772.tif 000026
【図２５】
2020183772.tif 000027
【図２６】
2020183772.tif 000028
【図２７】
2020183772.tif 000029
【図２８】
2020183772.tif 000030
【図２９】
2020183772.tif 000031
【図３０】
2020183772.tif 000032
【図３１】
2020183772.tif 000033
【図３２】
2020183772.tif 000034
【図３３】
2020183772.tif 000035
【図３４】
2020183772.tif 000036